(57)【要約】【課題】  工場などで使用する冷却水を、廉価なランニングコストで作ることができると共に、二酸化炭素の排出量も削減することのできる冷却水供給設備を提供する。【課題手段】  少なくとも、夜間電力によって氷を作り、その氷の冷熱を利用して冷却水を作る氷蓄熱冷凍機２と、地中に垂直方向に埋設した循環パイプ１ａに循環水を循環させ、地中の冷熱を熱交換によって吸収して冷却水を作る地中冷熱交換器１と、循環水を水滴にして上から流しながら、送風機で風を送り外気と接触させることによって冷却水を作る冷却塔３と、少なくとも、氷蓄熱冷凍機２と地中冷熱交換器１と冷却塔３によって作られた冷却水を蓄え、そこから冷却機６などに前記冷却水を供給する冷水タンク４とで構成する。【選択図】      図１
2006336998.tif 000002
【特許請求の範囲】
【請求項１】
工場などに設けられ、あらゆる目的で使用される冷却水を供給する設備であって、少なくとも、夜間電力によって氷を作り，その氷の冷熱を利用して冷却水を作る氷蓄熱冷凍機（２）と、地中に垂直方向に埋設した循環パイプ（１ａ）に循環水を循環させ，地中の冷熱を熱交換によって吸収して冷却水を作る地中冷熱交換器（１）とを備えてなる冷却水供給設備。
【請求項２】
工場などに設けられ，あらゆる目的で使用される冷却水を供給する設備であって、少なくとも、夜間電力によって氷を作り，その氷の冷熱を利用して冷却水を作る氷蓄熱冷凍機（２）と、地中に垂直方向に埋設した循環パイプ（１ａ）に循環水を循環させ，地中の冷熱を熱交換によって吸収して冷却水を作る地中冷熱交換器（１）と、循環水を水滴にして上から流しながら，送風機で風を送り外気と接触させることによって冷却水を作る冷却塔（３）と、少なくとも，前記氷蓄熱冷凍機と地中冷熱交換器と冷却塔によって作られた冷却水を蓄え，そこから冷却機（６）などに前記冷却水を供給する冷水タンク（４）と、を備えてなる冷却水供給設備。
【発明の詳細な説明】
【技術分野】
【０００１】
本発明は、工場などで、あらゆる目的で必要とされる冷却水を供給するための冷却水供給設備に関するものである。
【背景技術】
【０００２】
各種工場では、製品を冷却したり、空調設備に利用するなどのあらゆる目的で大量の冷却水が必要とされている。従来、この冷却水は、地下水を汲み上げてそのまま使用したり、また、水（循環水）を水滴にして上から流しながら、送風機で風を送り外気と接触させることで温度を下げる冷却塔によって作っている。また、近年では、廉価な夜間電力を利用して氷を作り、昼間、その氷の冷熱を利用して冷却水を作る氷蓄熱冷凍機も使用されている。
【発明の開示】
【発明が解決しようとする課題】
【０００３】
しかし、こうした従来の手段では、ランニングコストが嵩むと共に、大量の二酸化炭素を排出するので環境上も好ましくない。
【０００４】
本発明はこうした問題に鑑み創案されたもので、工場などで使用する冷却水を、廉価なランニングコストで作ることができると共に、二酸化炭素の排出量も削減することのできる冷却水供給設備を提供することを課題とする。
【課題を解決するための手段】
【０００５】
図１を参照して説明する。請求項１に記載の冷却水供給設備は、工場などに設けられ、あらゆる目的で使用される冷却水を供給する設備であって、少なくとも、夜間電力によって氷を作り、その氷の冷熱を利用して冷却水を作る氷蓄熱冷凍機２と、地中に垂直方向に埋設した循環パイプ１ａに循環水を循環させ、地中の冷熱を熱交換によって吸収して冷却水を作る地中冷熱交換器１とを備えてなるものである。
【０００６】
請求項２に記載の冷却水供給設備は、工場などに設けられ、あらゆる目的で使用される冷却水を供給する設備であって、少なくとも、夜間電力によって氷を作り、その氷の冷熱を利用して冷却水を作る氷蓄熱冷凍機２と、地中に垂直方向に埋設した循環パイプ１ａに循環水を循環させ、地中の冷熱を熱交換によって吸収して冷却水を作る地中冷熱交換器１と、循環水を水滴にして上から流しながら、送風機で風を送り外気と接触させることによって冷却水を作る冷却塔３と、少なくとも、前記氷蓄熱冷凍機２と地中冷熱交換器１と冷却塔３によって作られた冷却水を蓄え、そこから冷却機６などに前記冷却水を供給する冷水タンク４とを備えてなるものである。
【発明の効果】
【０００７】
請求項１に記載の冷却水供給設備は、少なくとも、夜間電力によって氷を作り、その氷の冷熱を利用して冷却水を作る氷蓄熱冷凍機２と、地中に垂直方向に埋設した循環パイプ１ａに循環水を循環させ、地中の冷熱を熱交換によって吸収して冷却水を作る地中冷熱交換器１とを備えているので、廉価なランニングコストで大量の冷却水を供給することができると共に、二酸化炭素の排出量も大幅に削減することができる。
【０００８】
すなわち、この冷却水供給設備は、氷蓄熱冷凍機２のみでなく、地中冷熱交換器１によって冷却水を作るので、例えば、循環パイプ１ａを多数埋設し、そこに循環水を循環させることによって大量の冷却水を作ることができる。また、この冷却水は地中の冷熱を利用するのでコストが掛からず、よってランニングコストが極めて廉価となる。また、地中の冷熱を利用するので、二酸化炭素の排出量が極めて少なく、環境面においても好ましい。
【０００９】
請求項２に記載の冷却水供給設備は、請求項１に記載の発明と同様に、氷蓄熱冷凍機２と地中冷熱交換器１を備えているので、廉価なランニングコストで大量の冷却水を供給することができる。
【００１０】
また、循環水を水滴にして上から流しながら、送風機で風を送り外気と接触させることによって冷却水を作る冷却塔３を併せ備えているので、さらに大量の冷却水を効果的に供給することができる。
【００１１】
さらに、少なくとも、氷蓄熱冷凍機２と地中冷熱交換器１と冷却塔３によって作られた冷却水を蓄え、そこから冷却機６などに冷却水を供給する冷水タンク４を備えているので、冷却水を常に安定して供給することができる。
【発明を実施するための最良の形態】
【００１２】
本発明に係る冷却水供給設備の実施形態を、図１に示す。
これは、工場の敷地に設けられ、製品を冷却する目的で使用される冷却水を供給する設備であり、氷蓄熱冷凍機２、地中冷熱交換器１、冷却塔３、冷水タンク４およびクッションタンク５を備えている。なお、図中、符号７は氷蓄熱冷凍機用中間水タンクであり、符号８は冷却塔用中間水タンクである。
【００１３】
氷蓄熱冷凍機２は、夜間電力によって氷を作り、その氷の冷熱を利用して冷却水を作る装置である。地中冷熱交換器１は、地中に垂直方向に埋設した複数のＵ字状の循環パイプ１ａに循環水を循環させ、地中の冷熱を熱交換によって吸収して冷却水を作る装置である。冷却塔３は、循環水を水滴にして上から流しながら、送風機で風を送り外気と接触させることによって冷却水を作る装置である。冷水タンク４は、氷蓄熱冷凍機２と地中冷熱交換器１と冷却塔３によって作られた冷却水を蓄え、そこから冷却機６に冷却水を供給するものである。また、クッションタンク５は、配管内の圧力を調整し、冷却水の供給量を安定化させるためのものである。
【００１４】
本実施形態に係る冷却水供給設備は、氷蓄熱冷凍機２および冷却塔３の他に、地中冷熱交換器１を使用して冷却水を作るので、廉価なランニングコストで充分な量の冷却水を供給することができると共に、二酸化炭素の排出量も大幅に削減することができる。
【００１５】
なお、地中冷熱交換器１は、温度変化のない冷えた地中で安定して熱交換を行うことができるため、効率的に冷却水を作ることができるといった優れた利点がある。また、工業団地が多くある山間地や海、川沿い、埋め立て地など、あらゆる地域で利用できるといった利点もある。さらに、新規に設置するほか、既存設備へ加えて設けることもできる。さらに、工場の敷地内の緑地帯や駐車場など、空きスペースがあれば設置することができ、また、地下に埋設するので、埋設後は、そのスペースを今まで同様に利用できるといった利点を併せ持つ。
【実施例】
【００１６】
図２に、冷却水を、地下水でまかなう場合と、氷蓄熱冷凍機２で作る場合と、地中冷熱交換器１で作る場合のそれぞれの年間電力使用量と二酸化炭素の発生量を比較したグラフを示す。これは、本願発明者が既存のデータを元に作成したものである。
【００１７】
このグラフから明らかなように、地中冷熱交換器１を使用した場合は、電力使用量が少なく、二酸化炭素の発生量も極めて少ないことが分かる。従って、氷蓄熱冷凍機２と共に地中冷熱交換器１を使用して冷却水を作る本実施形態に係る冷却水供給設備は、地下水のみを使用する場合または氷蓄熱冷凍機２のみを使用する場合、あるいは両者を併用する場合と比較して、定量の冷却水を、ランニングコストと二酸化炭素の排出量を大幅に削減しつつ供給することができる。
【００１８】
表１に、定量の冷却水を、地中冷熱交換器１で供給した場合と、氷蓄熱冷凍機２で供給した場合のランニングコストと二酸化炭素発生量の比較を示す。これは、本発明者が、既存のデータに基づいて作成したものである。
【００１９】
【表１】
2006336998.tif 000003
【００２０】
この表から、地中冷熱交換器１で供給した場合、氷蓄熱冷凍機２で供給した場合と比較して、電気使用量で１９％、電気料金で１３％、二酸化炭素発生量で１９％と、いずれも大幅に削減できることが分かる。
【００２１】
表２に、氷蓄熱冷凍機２と地中冷熱交換器１を備えた設備において、地中冷熱交換器１を併せて運転した場合と、運転しない場合の氷蓄熱冷凍機２のランニングコストおよび二酸化炭素発生量を示す。
【００２２】
【表２】
2006336998.tif 000004
【００２３】
この表から、地中熱交換を併せて運転した場合の方が、運転しない場合と比較して、氷蓄熱冷凍機２の電気使用量を６６％、電気料金を６３％、二酸化炭素発生量を６６％に、それぞれ抑えることができることが理解できる。
【００２４】
これらのことから、氷蓄熱冷凍機２と地中冷熱交換器１を備える本願発明に係る冷却水供給設備は、この両者を併せて運転することによって、大量の冷却水を、廉価なランニングコストで、二酸化炭素の排出を削減しつつ、供給できることが分かる。
【図面の簡単な説明】
【００２５】
【図１】本発明に係る冷却水供給設備の実施形態を示す構成図である。
【図２】年間電力使用量と二酸化炭素の発生量の比較を示すグラフである。
【符号の説明】
【００２６】
１        地中冷熱交換器
１ａ      循環パイプ
２        氷蓄熱冷凍機
３        冷却塔
４        冷水タンク
５        クッションタンク
６        冷却機
７        氷蓄熱冷凍機用中間水タンク
８        冷却塔用中間水タンク
【図１】
2006336998.tif 000005
【図２】
2006336998.tif 000006